(57)【要約】      （修正有）【課題】長時間型月経カップの構造を提供する。【解決手段】主にカップ本体１、ステム４、抗菌疎水性層で構成する長時間型月経カップの構造である。カップ本体の下方に開口結合部２を設け、開口結合部にカップ本体内部と連通する開口２１を設ける。カップ本体は上から下に向けて次第に幅が狭くなる形状を呈する。ステムにグリップ４１を設け、グリップを延伸して開口被結合部４２を設ける。且つ開口被結合部よりロングポール４３を延伸して設け、ロングポールの一端に彎曲した円盤状の清潔部４４を設ける。ロングポールと清潔部は開口より可動的にカップ本体内に収納することができ、且つ開口被結合部は可動式で開口結合部に結合し、開口被結合部内に硬質球体５を覆って設置する。抗菌疎水性層はそれぞれカップ本体の表面とステムの表面に設ける。本考案は生理開始から終了するまで、月経カップ本体を取り外す必要がなく、同時に簡単に操作して経血及び経血の塊を排出する便利性がある。【選択図】図１
0003214337.tif 000002
【実用新案登録請求の範囲】
【請求項１】
カップ本体、ステム、抗菌疎水性層を含み、
該カップ本体の下方に開口結合部を設け、該開口結合部に該カップ本体内部と連通する開口を設け、該カップ本体は上から下に向けて次第に幅が狭くなる形状を呈し、且つ該カップ本体１の材質はゴム或いはシリコンとすることができ、
該ステムにグリップを設け、該グリップを延伸して開口被結合部を設け、且つ該開口被結合部よりロングポールを延伸して設け、該ロングポールの一端に湾曲した円盤状の清潔部を設け、該ロングポールと清潔部は該開口より可動的に該カップ本体内に収納することができ、且つ該開口被結合部は可動式で該開口結合部に結合し、該開口被結合部内に硬質球体を覆って設置し、且つ該ステムの材質はゴム或いはシリコンとし、
該抗菌疎水性層はそれぞれ該カップ本体の表面と該ステムの表面に設けることを特徴とする長時間型月経カップの構造。
【請求項２】
前記カップ本体の内表面上に、上端に環状の第一リブと、下端に間隔を開けて排列する複数の第二リブを設け、該第一リブと該複数の第二リブの材質はゴム或いはシリコンとし、該清潔部は傘型円盤状とし、該抗菌疎水性層はポリ-ｐ-キシレン(Ｐｏｌｙ−ｐ−ｘｙｌｅｎｅ)コーティングで構成することを特徴とする請求項１記載の長時間型月経カップの構造。
【請求項３】
前記該カップ本体１の開口結合部の上端の外表面上に滑り防止部を設け、該滑り防止部は少なくとも環状リッジで構成することを特徴とする請求項１記載の長時間型月経カップの構造。
【考案の詳細な説明】
【技術分野】
【０００１】
本考案は女性の生理用品の構造に関し、特に長時間型月経カップの構造に関する。
【背景技術】
【０００２】
一般的によく見られる女性の生理用品は例えばナプキン或いは月経カップ(Menstrual Cup)などがある。該月経カップはムーンカップ或いはスクーンカップとも呼ばれ、女性の膣の内部に入れて経血を集めるものである。中華民国公知の実用新案第２００６１２８８１号の『月経カップ』は、該２００６１２８８１号の図１から図４に示すように、該月経カップの構造に含まれるのはカップ本体、ステム及びリッジである。
【０００３】
当該技術案において、該カップ本体は僅か上端に開口があるため(他の部分はいずれも密閉している)、ユーザーはステムを握り、及び圧縮或いは折り畳んでカップ本体を膣内に入れる際、開口は上端のみであるため、入れる過程において、膣内とカップ本体の外の気圧のバランスが取れず、月経カップを入れるのが困難になる。穴を設置することで、入れる際の内外の気圧のバランスは取れるが、操作するのは大変不便である。
【０００４】
また、月経カップが経血を集めて取り出す際、膣は子宮向きに吸引力を形成しやすいために、ユーザーが月経カップを取り出すのが相当困難となり、操作が不便である。取り出せてもより強い力を使うか、カップを潰す及び曲げて操作する必要がある。しかし、取り出した後の月経カップが不安定、及び月経カップを潰す及び曲げることで、カップ内に溜まった経血が飛び散るなど、使用上大変不便且つ衛生条件も良くない。
【０００５】
また、頻繁に月経カップを取り出して経血を捨て、或いは水で洗う過程において、空気或いはその他の物と接触すると、月経カップにばい菌及びウィルスが発生しやすい。それを再び膣内に入れて使用することにより、ユーザーに婦人科の疾病にかかる問題が発生しやすく、使用する際の憂いが残る。及びユーザーが経血を捨てるだけで直接膣内に戻すと(水で洗わず)、経血の塊があった場合、上端にのみ開口を具有するカップ内に経血の塊が残りやすい。清潔にするのが難しく(取り出す必要があるため)、更に引き続き使用するのに感染するリスクの確率が高くなる可能性があり、使用上大変不便であることを鑑みて、更なる改善が必要であった。  
【先行技術文献】
【特許文献】
【０００６】
【特許文献１】特表2010-506627号公報
【考案の概要】
【考案が解決しようとする課題】
【０００７】
前記公知構造の欠点を解決するために、本考案は関連問題を解決し、及び欠点について改善する長時間型月経カップの構造を提供することを主な課題とする。
【課題を解決するための手段】
【０００８】
上述の目的を解決するために、本考案は長時間型月経カップの構造を提供するものである。それに含まれるのはカップ本体、ステム、抗菌疎水性層である。該カップ本体の下方に開口結合部を設け、該開口結合部に該カップ本体内部と連通する開口を設ける。該カップ本体は上から下に向けて次第に幅が狭くなる形状を呈し、且つ該カップ本体の材質は軟質のゴム或いはシリコンとすることができる。該ステムにグリップを設け、該グリップを延伸して開口被結合部を設ける。且つ該開口被結合部よりロングポールを延伸して設け、該ロングポールの一端に彎曲した円盤状の清潔部を設ける。該ロングポールと清潔部は該開口より可動的に該カップ本体内に収納することができ、且つ該開口被結合部は可動式で該開口結合部に結合する。該開口被結合部内に硬質球体を覆って設置し、且つ該ステムの材質は軟質のゴム或いはシリコンとする。該抗菌疎水性層はそれぞれ該カップ本体の表面と該ステムの表面に設ける。
【０００９】
前記該カップ本体の内表面上に、上端に環状の第一リブと、下端に間隔を開けて排列する複数の第二リブを設ける。該第一リブと該複数の第二リブの材質は軟質のゴム或いはシリコンとする。該清潔部は傘型円盤状とし、且つ該抗菌疎水性層はポリ-ｐ-キシレン(Ｐｏｌｙ−ｐ−ｘｙｌｅｎｅ)コーティングで構成し、パリレンコーティングと呼ぶことができる。また、該カップ本体の開口結合部の上端の外表面上に滑り防止部を設け、且つ該滑り防止部は少なくとも環状リッジで構成する。
【考案の効果】
【００１０】
本考案の構造により、本考案は生理開始から終了するまで、月経カップ本体を取り外す必要がなく、同時に簡単に操作して経血及び経血の塊を排出する便利性があるほか、更に水洗いにより後続のばい菌及びウィルスの発生による婦人科疾病の問題を避けることができ、且つ月経カップは疎水性及抗菌力を具有することで効果に達する。
【図面の簡単な説明】
【００１１】
【図１】本考案の最良実施例の長時間型月経カップの立体分解構造略図である。
【図２】本考案の最良実施例のカップ本体の表面に抗菌疎水性層(Ｐｏｌｙ−ｐ−ｘｙｌｅｎｅ，Ｐａｒｙｌｅｎｅコーティング)を設ける断面構造略図である。
【図３】本考案の最良実施例の図１の組合せ構造及び断面略図である。
【図４】本考案の最良実施例のカップ本体を膣(ｖａｇｉｎａ)内に入れた断面略図である。
【図５】本考案の最良実施例の図４の後、ステムをカップ本体内に入れた断面略図である。
【図６】本考案の最良実施例の図５の組合せ構造の断面略図である。
【図７】本考案の最良実施例のカップ本体に経血が溜まっている断面略図である。
【図８】本考案の最良実施例の図７のステムを取り除いた後、経血を流す断面略図である。
【図９】本考案の最良実施例のカップ本体に経血があり、且つ経血の塊がある際の断面略図である。
【図１０】本考案の最良実施例の図９のステムを取り外した後、経血を流すことで、血の塊をスムーズに排出できる断面略図である。
【考案を実施するための形態】
【００１２】
以下、本考案の構造と特徴および効果を、最良実施例と図面を参照しながら詳細に説明する。
【実施例】
【００１３】
図１から図３に示すのは、本考案が提供する長時間型月経カップである。それに含まれるのはカップ本体１、抗菌疎水性層３及びステム４である。
【００１４】
該カップ本体１の下方に開口結合部２を設け、該開口結合部２に該カップ本体１内部と連通する開口２１を設ける。該カップ本体１は上から下に向けて次第に幅が狭くなる形状を呈し、且つ該カップ本体１の材質は軟質のゴム或いはシリコンとすることができる。最良実施例として、該カップ本体１の内表面上に、上端に環状の第一リブ６と、下端に間隔を開けて排列する複数の第二リブ７を設ける。本実施例において、該第一リブ６と該複数の第二リブ７は互いに繋がり、更に構造の強靭性を強めることができるが、それによって制限されない。また、該第一リブ６と該複数の第二リブ７の材質は軟質のゴム或いはシリコンとすることができる。この他、該抗菌疎水性層３はポリ-ｐ-キシレン(Ｐｏｌｙ−ｐ−ｘｙｌｅｎｅ)コーティングによって構成することができ、パリレンＰａｒｙｌｅｎｅコーティングと呼ぶことができ、カップ本体１の内表面１００及び外表面２００に形成し、最良は全体を覆うと、カップ本体１に疎水性及び(抑制)抗菌力が生まれる。
【００１５】
及び、該ステム４にグリップ４１を設け、該グリップ４１を延伸して開口被結合部４２を設ける。且つ該開口被結合部４２よりロングポール４３を延伸して設け、該ロングポール４３の一端に彎曲した円盤状の清潔部４４を設ける。最良実施例として、該清潔部４４は傘型円盤状とすることができ、より明確な逆フック状構造を提供するが、それによって制限されない。該ロングポール４３と清潔部４４は開口２１より可動的に該カップ本体１内に収納することができ、且つ該開口被結合部４２は可動式で該開口結合部２に暫時結合(密封嵌合)する。該開口結合部２は該開口被結合部４２を包み、且つ該開口被結合部４２内に硬質球体５を覆って設置する。該硬質球体５は金属の球体とすることができ、且つ該ステム４の材質は軟質ゴム或いはシリコンとすることができる。同じく該ステム４の表面(外表面１０１、２０１)に該抗菌疎水性層３を設け、またはポリ-ｐ-キシレン(Ｐｏｌｙ−ｐ−ｘｙｌｅｎｅ)コーティングで構成することができ、パリレンＰａｒｙｌｅｎｅコーティングと呼ばれる。同様に疎水性及び(抑制)抗菌力があり、該ポリ-ｐ-キシレン(Ｐｏｌｙ−ｐ−ｘｙｌｅｎｅ)コーティングの形成は、気相成長法を介して形成(例えば物理気相成長ＰＶＤ)するが、それによって制限されない。
【００１６】
よって引き続き図４に示すように、該カップ本体１は強靭性を具有し、潰して圧縮或いは折り畳むことを介し、カップ本体１を膣３００内部に入れる。膣３００内部に入れた後に原型に戻り、該第一リブ６と該複数の第二リブ７の設置を介して構造を強化することで、カップ本体１の外回りは開いて膣３００の内壁に張り付き、設置後に隙間が生じるのを避ける。本実施例において、該カップ本体１に開口２１を具有するため、膣３００内部と外部の気圧のバランスが取れ、ユーザーが本考案を操作する際に、より簡単に月経カップ(カップ本体１)を入れやすくなる。
【００１７】
図５及び図６に示すように、更に該ロングポール４３と清潔部４４を該開口２１より可動的に該カップ本体１内に収納し、且つ該開口被結合部４２を可動的に該開口結合部２に結合する。本実施例において、内外気圧のバランスが取れることで、ステム４とカップ本体１の結合がしやすく、且つ該硬質球体５を設置するのは、構造を強化するだけでなく、補助的に開口結合部２と開口被結合部４２の間の密閉効果を増す。該ステム４とカップ本体１全体が部品を形成し、それぞれ順に膣３００内に入れることができ、ユーザーが操作しやすい。最良実施例として、該ステム４を設置してから、グリップ部４１が膣３００の出口部分３００Ｂから外に露出するのがベストであり、ユーザーがその後操作使用しやすい。
【００１８】
この他、引き続き図６に示すように、本考案の月経カップを使用しない場合、該カップ本体１の開口結合部２の上端の外表面上に滑り防止部１０を設け、且つ該滑り防止部１０は複数個の環状リッジで構成することを介し、本実施例において、ユーザーが該滑り防止部１０を持てば、月経カップ全体(カップ本体１とステム４を含む)を膣３００から取り出すことができる。同じく先にステム４を外し、膣３００内部と外部の間に、子宮向きに膣３００が真空吸引力を生じるのを避け、更に該滑り防止部１０を持って、該カップ本体１を取り外す。そうすることで、本考案はユーザーが操作する際に、簡単に月経カップ(カップ本体１)を取り外しやすくなる。
【００１９】
更に図２、図７及び図８に示すように、月経カップ(カップ本体)１及びステム４を膣３００内に入れた後、該カップ本体１は生理期間中に、経血５００を集める。一定量にまで集めた際に、ユーザーはステム４を介して該グリップ４１を抜き(カップ本体１は膣３００内に残す)、経血５００を開口２１の部分から排出する。経血を外部に流し、便利に操作する効果を具有することができることが本考案の特徴である。よって、更に本考案は抗菌疎水性層(Ｐｏｌｙ−ｐ−ｘｙｌｅｎｅ，Ｐａｒｙｌｅｎｅコーティング)を設置することを介し、月経カップ(カップ本体１)を膣３００内に残す際、月経カップは疎水性及び長時間効果のある(抑制)抗菌力の効果が生まれる。よって、生理開始から終了するまで、カップ本体１を取り外す必要がなく、よって本考案は水洗いにより後続のばい菌及びウィルスの発生による婦人科疾病の問題を避けることができ、これもまた本考案の特徴である。
【００２０】
本実施例において、該清潔部４４のサイズは、原則的に該開口２１より超えない、或いはちょうど吻合する。しかし、清潔部４４は軟性シリコン或いはゴムの材質であり、強靭性を具有してひねる或いは曲げるなどすることができるため、清潔部４４のサイズは該開口２１より大きくすることができ、該ステム４を抜き出す際に、清潔部４４は正常に通過することができる。この他、カップ本体１を取り外す必要がない特徴は、相対的に生理期間中の使用する過程において、水による洗浄を避けることができ(洗浄する必要がなくても良い)、外の空気或いは人体と接触することによって生じるばい菌及びウィルスの発生を下げることができ、それにより感染するリスクの確率を低くする。
【００２１】
及び、引き続き図９及び図１０に示すのは、該清潔部４４の彎曲した円盤状あるいは傘型円盤状の設置により、逆フック状構造を形成し、且つ清潔部４４本体に合わせて、強靭性を具有し、ひねる或いは彎曲などすることができる。よって、経血５００に血の塊５００Ａを含む際、該血の塊５００Ａはカップ本体１の底に沈殿しやすい。血の塊５００Ａは経血５００に比べると、カップ本体１の外に排出しにくい。よってユーザーは該グリップ部４１を握ってステム４を抜き出す際に、清潔部４４の設置を介し、カップ本体１の底で、主に血の塊５００Ａを引っ張り出す、或いは吐き出す及び同時にカップ内を吸出し効果が生じる。該清潔部４４とカップ本体１の内表面が密接に接触する際には、注射器と同じような吸出し原理の効果が生まれる。よって、本考案は血の塊を取り除くのに操作が便利な効果を具有し、且つ血の塊５００Ａをスムーズに排出するのが、本考案の特徴である。
【００２２】
上述のように、本考案は生理開始から終了するまで、月経カップ本体を取り外す必要がなく、同時に簡単に操作して経血及び経血の塊を排出する便利性があるほか、更に水洗いにより後続のばい菌及びウィルスの発生による婦人科疾病の問題を避けることができ、且つ月経カップは疎水性及抗菌力を具有することで効果に達する。
【００２３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２４】
１    カップ本体
１０   滑り防止部
２    開口結合部
２１   開口
３  抗菌疎水性層
４  ステム
４１   グリップ部
４２   開口被結合部
４３   ロングポール
４４   清潔部
５    硬質球体
６    第一リブ
７    第二リブ
１００  内表面
１０１  外表面
２００  外表面
２０１  外表面
３００  膣
３００Ｂ 出口部分
５００  經血
５００Ａ 血の塊
【図１】
0003214337.tif 000003
【図２】
0003214337.tif 000004
【図３】
0003214337.tif 000005
【図４】
0003214337.tif 000006
【図５】
0003214337.tif 000007
【図６】
0003214337.tif 000008
【図７】
0003214337.tif 000009
【図８】
0003214337.tif 000010
【図９】
0003214337.tif 000011
【図１０】
0003214337.tif 000012